(57)【要約】【課題】電子レンジで加熱した紙容器の蓋材を開封する時に、高温の水蒸気で開封の摘み部を持つ手が火傷しないようにする。【解決手段】紙を基材とする多層シートからなるトレー（２）と、前記トレーの周縁に融着する蓋材（３）と、からなる紙容器（１）において、蓋材が、開封起点（４）の周縁シール部外側に、未シール部からなる摘み部（４１）を有し、前記摘み部外縁を、周縁シール部外縁から外側に１０ｍｍ以上離し、かつ、摘み部と周縁シール部外縁との間に折り曲げ罫線（４２）を設け、トレーが、前記折り曲げ罫線と周縁シール部外縁との間に、折り曲げ罫線と並行した切れ目（２２）を設けたことを特徴とする紙容器。【選択図】図１
2020132251.tif 000002
【特許請求の範囲】
【請求項１】
紙を基材とする多層シートからなるトレーと、前記トレーの周縁に融着する蓋材と、からなる紙容器において、
蓋材が、開封起点の周縁シール部外側に、未シール部からなる摘み部を有し、
前記摘み部外縁を、周縁シール部外縁から外側に１０ｍｍ以上離し、
かつ、摘み部と周縁シール部外縁との間に折り曲げ罫線を設け、
トレーが、前記折り曲げ罫線と周縁シール部外縁との間に、折り曲げ罫線と並行した切れ目を設けたことを特徴とする紙容器。
【請求項２】
電子レンジ加熱用の紙容器であることを特徴とする請求項１に記載の紙容器。
【請求項３】
前記切れ目が、半切れとしたことを特徴とする請求項２に記載の紙容器。
【請求項４】
前記折り曲げ罫線が、摘み部の根元に、開封方向に対して垂直に設けたことを特徴とする請求項１〜３のいずれかに記載の紙容器。
【発明の詳細な説明】
【技術分野】
【０００１】
本発明は、電子レンジなどによって誘電加熱し、調理可能な紙容器に関する。
【背景技術】
【０００２】
食品に水分などの双極子が含まれていると、マイクロ波の誘電加熱によって高いエネルギーを与えて高温にすることができる。このような加熱によって調理する電子レンジ用の容器は個食に便利で、使用範囲が広がっている。
電子レンジ用容器は、使い捨てされることから、加熱しやすさと共に、使用後、容易に廃棄可能であり、安価で、使い勝手の良さが求められる。
また、短時間で、容易に加熱しやすいように、密閉された状態で加熱できるように、蓋材などで塞いだ状態にし、加熱によって生じる蒸気を徐々に逃がしながら、調理時間、ほぼ一定の気圧に保持することによって、効率良い加熱を行うことができる。
【０００３】
そのような電子レンジ加熱用容器は、例えば、特許文献１では、
方形の底面板の相対向する二辺に、それぞれ山折り線を介して側面板が連設され、側面板の外周に、谷折り線を介して縁片が連設され、縁片の左右端に、それぞれ横方向に延びる舌片が設けられ、前記側面板の左右端に、それぞれ山折り線を介して逆三角形状の折り込み接合板が連設され、折り込み接合板の外周には、谷折り線を介して接合縁片が連設され、底面板の他の相対向する二辺に、それぞれ山折り線を介して第２側面板が連設され、第２側面板の外周に、谷折り線を介して第２縁片が連設され、第２縁片の左右端に、それぞれ横方向に延びる第２舌片が設けられ、前記第２側面板の左右端に、それぞれ谷折り線を介して逆三角形状の第２折り込み接合板が連設され、前記折り込み接合板の側面板と連設していない方の端縁と、第２折り込み接合板の第２側面板と連設していない方の端縁とは、山折り線を介して連設されると共に、各側面板を折り曲げてトレー状に組立てた際、縁片、第２縁片、接合縁片がそれぞれ同一平面を形成するように設定されているトレー容器用ブランクであって、各隅角の第２舌片と第２折り込み接合板が接する近傍の第２舌片の端縁に、第２折り込み接合板側に突出する小突起が設けられていることを特徴とするトレー容器用ブランクを提案している。
【０００４】
しかしながら、上記ブランクから製造されるトレー容器は、冷凍食品や粉末の包装に使用する容器で、加熱用の容器ではない。この為、このトレー容器で電子レンジ加熱すると、温度上昇と共に、容器内部の圧力が上昇し、開封時には、一気に蓋材の開口部から蒸気が噴き出して、火傷を負う恐れが大きい。
【先行技術文献】
【特許文献】
【０００５】
【特許文献１】特許第３８５３４１６号公報
【発明の概要】
【発明が解決しようとする課題】
【０００６】
そこで、本発明は、電子レンジで加熱した紙容器の蓋材を開封する時に、高温の水蒸気で開封の摘み部を持つ手が火傷しないようにすることが、本発明の課題である。
【課題を解決するための手段】
【０００７】
本発明の紙容器は、
紙を基材とする多層シートからなるトレーと、前記トレーの周縁に融着する蓋材と、からなる紙容器において、
蓋材が、開封起点の周縁シール部外側に、未シール部からなる摘み部を有し、
前記摘み部外縁を、周縁シール部外縁から外側に１０ｍｍ以上離し、
かつ、摘み部と周縁シール部外縁との間に折り曲げ罫線を設け、
トレーが、前記折り曲げ罫線と周縁シール部外縁との間に、折り曲げ罫線と並行した切れ目を設けたことを特徴とする紙容器である。
【発明の効果】
【０００８】
本発明の紙容器は、折り曲げ罫線と周縁シール部外縁との間に、折り曲げ罫線と並行した切れ目をトレー基材に設けているので、開封のきっかけとなるトレー半切れ部が切り離した後、その切れ目部分から蓋材がトレーの紙層を層間剥離させて、トレーから外れ、容易に開封させることができる。
しかも、開口した開口部近傍の摘み部は、折り曲げ罫線によって、トレーとの融着面に対し垂直に上方へ折り曲げられているので、紙容器から噴出する水蒸気が直接指にかかる恐れがない。
【図面の簡単な説明】
【０００９】
【図１】本発明に係る紙容器の実施形態例で、密閉状態と、一部開封した状態を示す外観の斜視図である。
【図２】本発明に係る紙容器の実施形態例で、密閉状態の平面図と開口部近傍の断面図と、正面図である。
【図３】本発明に係る紙容器の開口部近傍の断面図で、その開封工程を示す図である。
【図４】本発明の実施例、比較例で評価した紙容器のトレーと蓋材の形状を示す展開図である。
【発明を実施するための形態】
【００１０】
以下、本発明の紙容器の実施形態について、図で説明する。
図１は、本発明に係る紙容器の実施形態例で、密閉状態と、一部開封した状態を示す外観の斜視図である。
図１−１は本発明に係る紙容器の密閉状態の外観を1示す斜視図で、紙容器１は紙を基材とする多層シートからなるトレー２と、トレーの周縁に融着する蓋材３とから構成されている。
紙容器１には、蓋材３を開封する開封起点４を設けてあり、開封起点４の周縁シール部の外側に、未シール部からなる摘み部４１を有している。
【００１１】
図１−２は、紙容器１を一部開封した状態を示す斜視図で、前記摘み部４１を引き起こし、上方に引き上げて開封する。
マイクロ波で誘電加熱する電子レンジは、水などの双極子を有する物質があると、エネルギーを与え、励起させて、活発に双極子を振動や回転を行わせる加熱方式である。
紙容器１を、このような誘電加熱すると、紙容器１内部の食品に含まれる水分等が、高いエネルギーを獲得して、高温になると共に、水蒸気となり、内部の気圧が上昇する。
このような容器内部が高温になり、内気圧が上昇した状態になると、紙容器全体が膨らむ。
この状態で、蓋材３の摘み部４１をトレー２の開口部に対して、垂直方向に持ち上げ、開封し始めると、一気に紙容器１内部の水蒸気５が開封部から噴き出す。
【００１２】
図２−１は、本発明に係る紙容器１の実施形態例で、密閉状態の平面図と開口部近傍の断面図で、図２−２が、紙容器１の正面図である。
トレー２と蓋材３は、トレー２の開口部周縁において、周縁シール部２１で融着している。
また、開封起点４では、トレー２端部から摘み部４１が外側にはみ出しており、その摘み
部４１根元近傍には、開封方向に対して垂直方向に、直線状の折り曲げ罫線４２が設けられている。そして、さらに、折り曲げ罫線４２と周縁シール部外縁２１１との間に、折り曲げ罫線４２に並行したトレー基材の切れ目２２が設けられている。
【００１３】
図３は、本発明に係る紙容器の開口部近傍の断面図で、その開封工程を示す図である。図３−１は開封前の密封状態を示す断面図である。
摘み部４１内面はトレー２と融着しない未シール部となっている。
摘み部４１と周縁シール部外縁２１１との間には、折り曲げ罫線４２が設けられ、折り曲げ罫線４２の内側に、折り曲げ罫線４２に並行し、半切れのトレー基材の切れ目２２が設けられている。
蓋材３には、内部に蓋基材層３１として、紙が使用されているので、折り曲げ罫線４２を容易に加工することができる。また、少なくとも内面には、蓋シーラント層３２があって、容易にトレーフランジ面に融着できる。
ところで、トレー２は、トレー基材層２３に紙を使用し、その最内層にはトレーシーラント層２４が設けられている。上記トレー基材の切れ目２２は、トレーシーラント層２４を切断し、トレー基材層２３にまで入り込んだ半切れとなっているので、容易に開封しやすい構造となっている。
【００１４】
図３−２は、開封起点４において、摘み部４１を持ち上げた状態を示す断面図である。開封起点４では、摘み部４１が折り曲げ罫線４２で折れ曲がって、上方に持ち上げられるので、ほぼ垂直方向に摘み部４１が折れ曲げられる。
【００１５】
図３−３は、垂直方向に折れ曲げられた摘み部４１を、蓋材３を融着したトレー２開口面に対して垂直方向にさらに持ち上げ、開封が始まった状態を示す断面図である。
トレー２基材の切れ目２２が、基材層２３にまで入り込んでいるので、摘み部４１を垂直方向に持ち上げると、紙基材層２３の中で層間剥離し、層間剥離が容器内側まで進んでいくと、シーラント層２４の強度は弱いので、容易に破断し、開封できる。
開封されると、電子レンジ等で加熱された容器内部の水蒸気等５は、開封部から勢い良く噴き出して来る。
【実施例】
【００１６】
＜実施例１＞
トレーは、紙基材層として、坪量４００ｇ／ｍ２のコートボール紙を使用し、コート面側へ印刷後、エキストルーダーラミネーション機を用いて、表裏に４５μｍの低密度ポリエチレン樹脂を押出し、積層したトレー用多層シートを作成した。
上記トレー用多層シートから、図４−１に示す形状を打ち抜いて、罫線で折り曲げ、四隅の三角板同士を内接し、外側に折り曲げて側板に融着し、四隅のフランジ部を融着してフランジを合体し、矩形形状の開口部を有するトレーを作成し、開封予定部のフランジ端部に半切れ部を加工した。
蓋材は、紙基材層として、坪量３１０ｇ／ｍ２のコートボール紙を使用し、コート面側へ印刷後、エキストルーダーラミネーション機を用いて２０μｍの低密度ポリエチレン樹脂を押出し、積層した蓋材用多層シートを作成した。
上記蓋材用多層シートから、図４−２に示す形状の内、Lの摘み部外縁−周縁シール部外縁間距離を１０ｍｍとなる寸法で打ち抜き、同時に摘み部根元に折り曲げ罫線を入れて、蓋材を作成した。
【００１７】
＜実施例２＞
トレーは、実施例１と同じものを使用した。
蓋材は、実施例１と同じ蓋材用多層シートを使用した。図４−２に示す形状の内、Ｌの摘み部外縁−周縁シール部外縁間距離を２０ｍｍとなる寸法で打ち抜き、同時に摘み部根元
に折り曲げ罫線を入れて、蓋材を作成した。
【００１８】
＜比較例１＞
トレーは、実施例１と同じものを使用した。
蓋材は、実施例１と同じ蓋材用多層シートを使用した。図４−２に示す形状の内、Ｌの摘み部外縁−周縁シール部外縁間距離を７ｍｍとなる寸法で打ち抜き、摘み部根元に折り曲げ罫線は入れないで、蓋材を作成した。
【００１９】
＜比較例２＞
トレーは、実施例１と同じものを使用した。
蓋材は、実施例１と同じ蓋材用多層シートを使用した。図４−２に示す形状の内、Ｌの摘み部外縁−周縁シール部外縁間距離を７ｍｍとなる寸法で打ち抜き、同時に摘み部根元に折り曲げ罫線を入れて、蓋材を作成した。
【００２０】
＜比較例３＞
トレーは、実施例１と同じものを使用した。
蓋材は、実施例１と同じ蓋材用多層シートを使用した。図４−２に示す形状の内、Ｌの摘み部外縁−周縁シール部外縁間距離を１０ｍｍとなる寸法で打ち抜き、摘み部根元に折り曲げ罫線は入れないで、蓋材を作成した。
【００２１】
＜比較例４＞
トレーは、実施例１と同じものを使用した。
蓋材は、実施例１と同じ蓋材用多層シートを使用した。図４−２に示す形状の内、Ｌの摘み部外縁−周縁シール部外縁間距離を２０ｍｍとなる寸法で打ち抜き、摘み部根元に折り曲げ罫線は入れないで、蓋材を作成した。
【００２２】
＜評価試験方法＞
トレーに１５０ｍＬの水道水を入れ、トレーのフランジに蓋材を融着し、紙容器を完成させた。その紙容器を、電子レンジによって、６００Ｗで３分間、誘電加熱して内部の水道水を沸騰させた。
耐熱用手袋をして、紙容器蓋材の摘み部先端を温度計の熱電子対と合わせてつかみ、摘み部をフランジに対して垂直に折り曲げて起こし、上方に引き上げ、開封して水蒸気が漏れ出始めた状態を維持し、その時の熱電子対で感知した温度を記録した。
【００２３】
＜評価試験結果＞
Ｌの摘み部外縁−周縁シール部外縁間距離が７ｍｍでは、摘み部根元に折り曲げ罫線があっても、無くても、８０℃以上の高温になった。
Ｌの摘み部外縁−周縁シール部外縁間距離が１０ｍｍや２０ｍｍでは、摘み部根元に折り曲げ罫線があると６５℃未満になるが、折り曲げ罫線が無いと７０℃以上の高温で、素手でつかむことは無理であった。
従って、摘み部外縁−周縁シール部外縁間距離は１０ｍｍ以上必要であり、かつ、摘み部根元の折り曲げ罫線も必要である。
【００２４】
【表１】
2020132251.tif 000003
【００２５】
本発明の紙容器は、以上のようなもので、蓋材の摘み部に折り曲げ罫線があって、蓋材をトレーから剥離する時に、罫線部分で融着面に対し垂直に折れ曲げ、充分に開封する所から距離を取っているので、容器から吹き出る高温の水蒸気等が直接摘み部をつかんでいる手に掛かる恐れがない。
しかも、折り曲げ罫線と周縁シール部外縁との間に、折り曲げ罫線と並行した切れ目をトレー基材に設けているので、開封のきっかけとなるトレー半切れ部が切り離した後、その
切れ目部分から蓋材がトレーの紙層を層間剥離させて、トレーから外れて、開口しやすい。
特に、蓋材の摘み部の形状、罫線、トレーフランジへの半切れなど、外形打ち抜きなどで同時に加工できる内容なので、生産性や価格への影響を与えずに対応できるなど、本発明のメリットは大きい。
【符号の説明】
【００２６】
１・・・・・・・・紙容器
２・・・・・・・・トレー
２１・・・・・・・周縁シール部
２１１・・・・・・周縁シール部外縁
２２・・・・・・・切れ目（トレー基材の切れ目）
２３・・・・・・・トレー基材層
２４・・・・・・・トレーシーラント層
３・・・・・・・・蓋材
３１・・・・・・・蓋基材層
３２・・・・・・・蓋シーラント層
４・・・・・・・・開封起点
４１・・・・・・・摘み部
４２・・・・・・・折り曲げ罫線
５・・・・・・・・水蒸気等
【図１】
2020132251.tif 000004
【図２】
2020132251.tif 000005
【図３】
2020132251.tif 000006
【図４】
2020132251.tif 000007